(57)【要約】【課題】  ＱＲコードの付加された原稿を、原稿と異なるサイズの用紙に複写する場合、出力用紙の四隅位置のうち、原稿からＱＲコードが検出された位置にＱＲコードを付加する。このため、出力用紙の原稿画像が出力された部分にＱＲコードが付加されず、出力用紙を切断するなどして、ＱＲコードが付加されない原稿の複写が作成される問題がある。【解決手段】  出力画像に付加されたＱＲコードの位置が、原稿画像が配置された部分であるか判断し、原稿画像部分にＱＲコードが付加されていない場合は、出力画像の原稿画像部分で、かつ、出力画像の四隅となる位置にＱＲコードを付加することにより、ＱＲコードが付加されていない原稿の複写が作成されることを防止する。【選択図】  図５
2012244206.tif 000002
【特許請求の範囲】
【請求項１】
原稿を読み取る、読み取り手段（０１０２）と、
読み取られた原稿画像から２次元コードの検出を行う、２次元コード検出手段（０１０３）と、
読み取られた原稿画像から２次元コードの消去を行う、２次元コード消去手段（Ｓ０５０４）と、
検出された２次元コードの複写制御情報と検出位置情報を格納する、２次元コード情報格納手段（０１０７）と、
２次元コード情報格納手段に格納された複写制御情報の追跡情報を更新する、複写制御情報更新手段（０１０１）と、
出力画像に対して指定された位置に２次元コードを合成する、２次元コード合成手段（Ｓ０５０８）と、
２次元コードが出力画像の原稿画像部分に合成されているか否かを判別する、２次元コード合成位置判別手段（Ｓ０５０９）を有し、
読み取り手段により読み取った原稿画像から２次元コードを検出し（Ｓ０５０２）、
読み取り手段により読み取った原稿画像で検出した２次元コードを消去し（Ｓ０５０４）、
出力画像に対し、原稿画像で２次元コードを検出した位置に、複写制御情報を更新した２次元コードを合成し（Ｓ０５０８）、
出力画像に対し、２次元コードを合成した位置が、原稿画像が配置された部分であるか否かを判別し（Ｓ０５０９）、
出力画像対して、２次元コードが合成された位置が、原稿画像が配置された部分で無い場合、原稿画像が配置された部分であり、かつ、出力画像の四隅となる個所に、複写制御情報を更新した２次元コードを合成する（Ｓ０５１０）、
ことを特徴とする画像形成装置。
【請求項２】
読み取り手段により読み取った原稿画像で検出した２次元コードを消去せず、出力画像を作成することを特徴とする、請求項１に記載の画像形成装置。
【発明の詳細な説明】
【技術分野】
【０００１】
本発明は、２次元コードによる複写禁止情報を抽出可能な画像形成装置、その制御方法、プログラムに関するものである。
【背景技術】
【０００２】
近年、複写機の普及に伴い、原稿の不正複写問題が増大している。この対策技術として、特定の原稿の複写を抑制する技術がある。この複写を抑制する技術として、原稿に対して複写禁止情報を持つ２次元コードを付加しておき、複写機がこの原稿を読み取った場合に、原稿の複写を禁止するものがある。
【０００３】
特許文献１には、原稿に対して複写禁止情報を持つ２次元コードを付加しておき、複写機がこの原稿を読み取った場合に、原稿の複写を禁止する方法が開示されている。
【０００４】
複写機には、複写だけではなく、ストレージへの保存や、Ｅ−ｍａｉｌ送信、ＦＡＸ送信などの出力機能を有するものがあり、複写禁止情報が付加された原稿を読み取った場合には、どの出力機能を指示されたとしては一律出力を禁止している。
【０００５】
また、文書内に埋め込まれる２次元コードとして、特許文献２で開示しているＱＲコード（商標）がある。この特許文献２記載のＱＲコードは、特許文献１記載の２次元コードに比べて、汎用的に使用されている。したがって２次元コードとしてＱＲコードを使用し、複写禁止情報を埋め込んで原稿に付加されることもありうる。
【０００６】
また、複写機には、ＱＲコードが付加された原稿の複写においては、複写許可情報を持つＱＲコードの場合、出力画像に対して、原稿の読み取りで検出されたＱＲコードの位置に、複写制御情報を更新したＱＲコードを埋め込んで出力するものがある。その際、原稿に付加されていたＱＲコードを、原稿の読み取り時に白紙画像で消去する複写機も存在する。
【先行技術文献】
【特許文献】
【０００７】
【特許文献１】特開平０４−００９９６３号公報
【特許文献２】特開平１０-３１２４４７号公報
【発明の概要】
【発明が解決しようとする課題】
【０００８】
複写機で原稿を複写する場合、読み取った原稿画像に白紙画像を付け加えて印刷を行う場合がある。例えば、図３に示すように、ＡＤＦ（Ａｕｔｏ  Ｄｏｃｕｍｅｎｔ  Ｆｅｅｄｅｒ）から読み込んだＡ４サイズの原稿（０３０１）をＡ３サイズの出力用紙（０３０４）に複写する場合、Ａ４サイズの原稿画像は、Ａ３サイズの出力用紙の右側に配置されて出力され（０３０３）、出力用紙の左側は白紙となる。
【０００９】
この時、原稿のＱＲコードが付加されている位置によっては、出力用紙では白紙部分にＱＲコードが付加される。例えば、図３に示すように、Ａ４サイズ原稿の左上にＱＲコードが付加されている場合（０３０２）、出力用紙でも左上にＱＲコードが付加されるため、出力用紙の左側の白紙部分にＱＲコードが付加される（０３０６）。また、原稿に付加されていたＱＲコードは、原稿の読み取り時に白紙画像で消去される（０３０５）。
【００１０】
このため、複写で得られたＡ３サイズの出力用紙を、用紙の中心（０３０７）で、Ａ４サイズ２枚の用紙に切断すると、ＱＲコードが付加された白紙の用紙１枚（０３０９）と、ＱＲコードが付加されていない原稿が複写された用紙１枚（０３０８）に分かれ、ＱＲコードが付加されていない原稿の複写を容易に得ることが可能となってしまう。
【課題を解決するための手段】
【００１１】
原稿を読み取る、読み取り手段（０１０２）と、
読み取られた原稿画像から２次元コードの検出を行う、２次元コード検出手段（０１０３）と、
読み取られた原稿画像から２次元コードの消去を行う、２次元コード消去手段（Ｓ０５０４）と、
検出された２次元コードの複写制御情報と検出位置情報を格納する、２次元コード情報格納手段（０１０７）と、
２次元コード情報格納手段に格納された複写制御情報の追跡情報を更新する、複写制御情報更新手段（０１０１）と、
出力画像に対して指定された位置に２次元コードを合成する、２次元コード合成手段（Ｓ０５０８）と、
２次元コードが出力画像の原稿画像部分に合成されているか否かを判別する、２次元コード合成位置判別手段（Ｓ０５０９）を有し、
読み取り手段により読み取った原稿画像から２次元コードを検出し（Ｓ０５０２）、
読み取り手段により読み取った原稿画像で検出した２次元コードを消去し（Ｓ０５０４）、
出力画像に対し、原稿画像で２次元コードを検出した位置に、複写制御情報を更新した２次元コードを合成し（Ｓ０５０８）、
出力画像に対し、２次元コードを合成した位置が、原稿画像が配置された部分であるか否かを判別し（Ｓ０５０９）、
出力画像対して２次元コードが合成された位置が、原稿画像が配置された部分で無い場合、原稿画像が配置された部分であり、かつ、出力画像の四隅となる個所に、複写制御情報を更新した２次元コードを合成する（Ｓ０５１０）、
ことを特徴とする画像形成装置。
【発明の効果】
【００１２】
本発明によれば、原稿画像を原稿サイズと異なる出力用紙サイズで複写する場合においても、複写された出力用紙の原稿画像部分に対して、常に複写制御情報が更新されたＱＲコードが付加されるようになり、ＱＲコードが付加されていない原稿の複写が作成されることを防止することが可能となる。
【図面の簡単な説明】
【００１３】
【図１】実施例における、ＭＦＰ１００１のブロック図である。
【図２】従来技術における、ＱＲコードの検出処理対象の領域を示す図である。
【図３】従来技術における、Ａ４サイズの原稿をＡ３サイズの用紙に複写する場合の、ＱＲコードの付加位置を示す図である。
【図４】実施例１における、Ａ４サイズの原稿をＡ３サイズの用紙に複写する場合の、ＱＲコードの付加位置を示す図である。
【図５】実施例１における、ＭＦＰ１００１が実行するＱＲコード付加原稿の複写処理を示すフローチャートである。
【図６】実施例２における、Ａ４サイズの原稿をＡ３サイズの用紙に複写する場合の、ＱＲコードの付加位置を示す図である。
【図７】実施例２における、ＭＦＰ１００１が実行するＱＲコード付加原稿の複写処理を示すフローチャートである。
【発明を実施するための形態】
【００１４】
以下、本発明を実施するための最良の形態について図面を用いて説明する。
【００１５】
［実施例１］
本発明の第１の実施例は、複写禁止機能を持つ複写機で、原稿サイズと異なるサイズの出力用紙に原稿を複写する場合の、複写出力に対する２次元コード付加位置の制御に関する発明である。
【００１６】
ここで、本実施例において使われる用語について説明する。原稿には複写によって複写制御情報が付加される。複写制御情報には、複写禁止情報と複写許可情報がある。
【００１７】
次に、複写制御情報が付加された原稿を作成する処理について説明する。
【００１８】
始めに、複写制御情報を符号化することで埋め込み情報を得る。２番目に、埋め込み情報を画像化することで２次元コードを生成する。３番目に、２次元コードと原稿画像を合成し、２次元コードの合成された原稿画像を生成する。最後に、２次元コードの合成された原稿画像を印刷する。これにより、複写制御情報が２次元コードで付加された原稿が作成される。この一連の処理を、複写制御情報の「付加」と呼ぶ。なお、複写制御情報を符号化し、画像化する処理（これにより、２次元コードが生成されることになる）のことを、複写制御情報の２次元コード化と称することにする。
【００１９】
なお、本実施例も含め以降の実施例では、このように２次元コードを利用する形態（即ち、２次元コードを原稿画像に合成して印刷する形態、及び、その印刷により得られた原稿を読み取り複写を制御する形態）を例に各ステップの処理の説明を行うこととする。
【００２０】
本実施例では、２次元コードとしてＱＲコードを使用し、原稿の１面に対して１つのＱＲコードが付加されていることとする。
【００２１】
次に、複写制御情報がＱＲコードで付加された原稿から複写制御情報を抽出する処理について説明する。始めに、原稿台の上、または、ＡＤＦ（Ａｕｔｏ  Ｄｏｃｕｍｅｎｔ  Ｆｅｅｄｅｒ）に置かれたその原稿を読み取り、原稿画像を生成する。２番目に、その原稿画像からＱＲコードを見つけ出す。３番目に、見つけ出したＱＲコードを情報化して埋め込み情報を得る。４番目に、埋め込み情報を復号化して複写制御情報を得る。これにより、複写制御情報がＱＲコードで付加された原稿から、複写制御情報を得ることができる。この一連の処理の内、２番目以降の処理を、複写制御情報の「検出」と呼ぶ。
【００２２】
なお、埋め込み情報には、誤り訂正符号が含まれており、複写制御情報には、誤り訂正符号は含まれていない。
【００２３】
以下、図１を参照して本発明の第１の実施例におけるＭＦＰ１００１の構成について詳細に説明する。ここで、図１は、本実施の形態に係るＭＦＰ１００１の構成を例示するブロック図である。
【００２４】
制御部０１０１は、ＭＦＰ１００１の各ユニットの動作制御をおこなう箇所である。この制御部０１０１は、ＣＰＵ（Ｃｅｎｔｒａｌ  Ｐｒｏｃｅｓｓｉｎｇ  Ｕｎｉｔ）を有している（ここでは図示しない）。また、制御部１は、埋め込み情報の復号化も行う。
【００２５】
操作部０１０５は、ＭＦＰ１００１に対するユーザからの操作入力を受け付ける箇所である。
【００２６】
ユーザ認証部０１０６は、ＭＦＰ１００１を使用するユーザの認証に必要な情報を管理する箇所である。
【００２７】
読み取り部０１０２は、上述の原稿を読み取ることで（例えば、スキャンし）、その原稿の原稿画像の生成を行う箇所である。なお、原稿が印刷物等の紙文書であるのに対して、原稿画像はデジタル（又は、アナログ）のデータである。
【００２８】
情報化部０１０３は、上述の原稿画像からＱＲコードを見つけ出して情報化を行う箇所である。
【００２９】
メモリ０１０７は、原稿画像を記憶する箇所である。
【００３０】
出力部０１０８は、メモリ０１０７から原稿画像を読み出した後、原稿画像の印刷、または、原稿画像の外部装置への送信等の出力を行う箇所である。ここで外部装置とは、ＭＦＰ１００１とネットワークを介して接続されているＰＣ等を指す。
【００３１】
表示部０１０９は、制御部０１０１の制御により表示画面の表示を行う箇所である。
【００３２】
データベース０１１０は、ＭＦＰ１００１の印刷設定や使用ログを記録する箇所である。
【００３３】
エンコード部０１１１は、上述の符号化と画像化を行う箇所である。
【００３４】
次に、原稿画像から複写制御情報を検出する処理について説明する。
【００３５】
情報化部０１０３は、原稿画像内からＱＲコードの隅にある切り出しシンボル（ファインダパターン）を検出する。ファインダパターンが存在すると、情報化部０１０３は原稿画像にＱＲコードがあると判断する。これを、ＱＲコードを見つけ出すと称する。次に見つけ出したＱＲコードを情報化して埋め込み情報を得る。そして最後に、ＱＲコードを１つ見つけた制御部０１０１は、当該ＱＲコードに含まれる埋め込み情報を復号化する。このように復号化を行うことで、制御部０１０１は、複写制御情報を得ることができる。
【００３６】
以上のように、原稿画像からＱＲコードを見つけ出す、見つけ出したＱＲコードを情報化して埋め込み情報を得る、埋め込み情報を復号化して複写制御情報を得る処理という一連の処理を「検出」と呼ぶ。検出処理を行うことで、原稿画像から複写制御情報を得ることができる。
【００３７】
次に、原稿画像から複写制御情報を検出する領域について説明する。
【００３８】
ＭＦＰ１００１でのＱＲコード検出では、読み取り部０１０２が読み取った画像のうち、ＱＲコードの検出を行う領域の四隅の部分で検出処理を行う。図２の例では、読み取られた画像０２０１の全体がＱＲコード検出を行う領域であり、その四隅から一定範囲の領域０２０２が検出処理を行う対象となる。ここで、読み取り画像のうち、ＱＲコードの検出処理を行う画像の範囲を（図２では０２０１）をＱＲコード検出対象とし、その範囲をＱＲコード検出対象領域と呼ぶ。通常、ＱＲコード検出対象領域は、読み取り部０１０２で読み取られる原稿画像となる。実際にＱＲコードの検出処理が行われるのは、ＱＲコード検出対象領域の四隅の一定範囲の領域である。この、四隅のＱＲコード検出が行われる範囲の大きさは、固定サイズでも良いし、ユーザにより設定可能としても良い。
【００３９】
次に、原稿サイズと出力用紙サイズが異なる場合の、本実施例における複写動作について、図４を用いて説明する。
【００４０】
図４は、Ａ４サイズの原稿（０４０１）をＡ３サイズの出力用紙（０４０４）に複写するときの図である。Ａ４サイズ原稿には、左上にＱＲコード（０４０２）が付加されている。複写において、読み取り部（０１０２）のＡＤＦから原稿を読み取る場合、読み取られる画像のサイズも原稿と同じくＡ４サイズとなる。この読み取り画像に対し、出力用紙サイズはＡ３サイズであるため、複写出力の画像は、Ａ３サイズの白紙画像に対し、右側のＡ４サイズの領域に読み取った原稿画像を配置（０４０３）したものとなる。
【００４１】
また、複写時には、原稿（０４０１）に付加されているＱＲコード（０４０２）は一度消去され、複写制御情報を更新して出力画像に再度付加される。このため、出力画像（０４０４）に配置された原稿画像における、ＱＲコードが付加されていた部分は白紙画像（０４０５）でＱＲコードが消去されたものとなる。
【００４２】
複写時において、複写制御情報を更新して出力画像に付加されるＱＲコードの位置は、原稿読み取り時に検出されるＱＲコード位置と同じ位置となる。ただし、図２を用いて前述したとおり、通常ＱＲコードの検出対象領域は読み取り部０１０２で読み取られる原稿画像となり、原稿画像の四隅の一定範囲の領域（０２０２）でＱＲコードの検出処理が行われる。このため、複写時において出力画像に付加されるＱＲコードの位置は、出力画像に対して、原稿読み取り時に検出されるＱＲコードと同じ四隅の位置に付加される。図４の場合では、Ａ４原稿（０４０１）には、左上にＱＲコード（０４０２）が付加されているため、Ａ３サイズの出力画像（０４０４）に対しても、その左上にＱＲコード（０４０６）が付加される。
【００４３】
この時、出力画像に付加されるＱＲコード（０４０６）は、出力画像左側の白紙部分に付加され、また、出力画像の原稿画像部分で、原稿画像に付加されていたＱＲコードは白紙画像（０４０５）で消去されている。このため、Ａ３サイズの出力用紙を、その中心（０４０８）で半分に切断した場合、ＱＲコードが付加されていない原稿の複写を作成することが可能となってしまう。
【００４４】
このため、出力画像の白紙部分に付加されたＱＲコード（０４０６）と同じＱＲコードを、出力画像中の原稿画像が配置された部分も付加する。付加する位置は、出力画像に対し原稿画像が配置された部分で、かつ、出力画像の四隅となる部分のうち、いずれか１カ所であり、原稿の読み取りで検出された、原稿に付加されたＱＲコード位置に最も近い場所、とする。図４の場合では、Ａ３サイズの出力画像に対してＡ４の原稿画像は、出力画像の右側の部分に配置されているため、出力画像の四隅、右上と右下の部分がＱＲコードを付加する位置の候補となり、原稿画像に付加されたＱＲコードの位置は、左上であるため、原稿画像のＱＲコード付加位置により近い、出力画像の右上にＱＲコードが付加される（０４０７）。
【００４５】
これにより、複写された出力用紙を、その中心（０４０８）で半分に切断した場合であっても、ＱＲコードが付加されていない原稿の複写が作成されることを防止する。
【００４６】
次に、原稿サイズと出力用紙サイズが異なる場合の、本実施例における複写動作の制御について、図５を用いて詳細に説明する。図５は、本実施例において、ＭＦＰ１００１が実行する複写動作の制御の流れを示すフローチャートである。
【００４７】
ＱＲコードが付加された画像を複写するユーザは、まず原稿を読み取り部０１０２に設置し、複写に必要な各種設定を操作部０１０５から入力し、複写を実行する。複写が実行されると、制御部０１０１は、読み取り部０１０２から原稿を読み取り原稿画像を作成する（Ｓ０５０１）。ステップＳ０５０１で原稿の読み取りが行われると、情報化部０１０３は、読み取られた原稿画像からＱＲコードの検出を行い、ＱＲコードの検出位置と埋め込み情報を制御部０１０１に送信する（Ｓ０５０２）。制御部０１０１は、情報化部０１０３から取得したＱＲコードの埋め込み情報を複写制御情報に復号化し、ＱＲコードの検出位置情報とともに、メモリ０１０７に格納する（Ｓ０５０３）。
【００４８】
次に、制御部０１０１は、読み取り部０１０２から読み取った原稿画像に対し、情報化部０１０３で検出された、ＱＲコードが付加されている部分に白紙画像を上書きし、原稿画像のＱＲコードを消去する（Ｓ０５０４）。ＱＲコードを消去した原稿画像を、制御部０１０１は、メモリ０１０７に格納する（Ｓ０５０５）。
【００４９】
続いて、複写動作の出力側の処理を行う。まず、制御部０１０１は、メモリ０１０７に格納された原稿画像を読み出す（Ｓ０５０６）。次に、制御部０１０１は、原稿のサイズと出力用紙のサイズ等から決定されるレイアウト情報に従って、ステップＳ０５０６で読み出した原稿画像を出力画像に配置する（Ｓ０５０７）。出力画像には、レイアウト情報に応じて、白紙画像が付加される場合がある。
【００５０】
次に、制御部０１０１は、メモリ０１０７に格納されているＱＲコードの検出位置情報と複写制御情報を読み出し、複写制御情報内の日付等の追跡情報を更新したＱＲコードを作成する。制御部０１０１は、作成したＱＲコードを出力用紙に対して、原稿画像でＱＲコードが検出された四隅位置と同じ、出力画像四隅の何れかの位置に合成する（Ｓ０５０８）。
【００５１】
ステップＳ０５０８で出力画像にＱＲコードを合成すると、制御部０１０１は、出力画像のＱＲコードが合成された位置が、原稿画像が配置された部分の四隅の位置であるか判断する（Ｓ０５０９）。ステップＳ０５０９で、出力画像内の原稿画像が配置された部分にＱＲコードが合成されたと判断される場合、制御部０１０１は出力画像を出力部０１０８に送り、出力画像を出力用紙に印刷する（Ｓ０５１１）。
【００５２】
ステップＳ０５０９で、出力画像内の原稿画像が配置されていない部分にＱＲコードが合成されたと判断される場合、制御部０１０１は、ステップＳ０５０８で出力画像に合成したものと同じＱＲコードを、出力画像内の原稿画像が配置された部分で、かつ、出力画像の四隅となる部分のうち、ステップＳ０５０２で検出された、原稿に付加されたＱＲコードの位置に最も近い場所に合成する（Ｓ０５１０）。そして、ステップＳ０５１０で、出力画像内の原稿画像が配置された部分にもＱＲコードを合成した出力画像を、制御部０１０１は出力部０１０８に送り、出力画像を出力用紙に印刷する（Ｓ０５１１）。
【００５３】
以上が、ＭＦＰ１００１における、原稿サイズと出力用紙サイズが異なる場合の、複写動作で行う制御の説明である。この制御により、複写された出力用紙の原稿画像部分に対しても、常に複写制御情報が更新されたＱＲコードが付加されるようになり、ＱＲコードが付加されていない原稿の複写が作成されることを防止することが可能となる。
【００５４】
［実施例２］
本発明の第２の実施例は、複写禁止機能を持つ複写機で、原稿サイズと異なるサイズの出力用紙に原稿を複写する場合の、複写出力に対する２次元コード付加位置の制御に関する発明である。
【００５５】
始めに、図６を用いて第１の実施例との動作の違いについて説明する。
【００５６】
図６は、実施例１と同様に、Ａ４サイズの原稿（０６０１）をＡ３サイズの出力用紙（０６０４）に複写するときの図である。Ａ４サイズ原稿には、左上にＱＲコード（０６０２）が付加されている。実施例１と同様に、読み取られる画像サイズがＡ４サイズであり、出力用紙サイズはＡ３サイズであるため、複写出力の画像は、Ａ３サイズの白紙画像に対し、右側のＡ４サイズの領域に読み取られた原稿画像を配置（０６０３）したものとなる。
【００５７】
一方、実施例２では実施例１と異なり、複写時に原稿（０６０１）に付加されているＱＲコード（０６０２）は消去されず、画像として出力用紙（０６０４）に複写される（０６０５）。出力用紙に複写されたＱＲコード（０６０５）は画像として複写されるため、ＱＲコードに埋め込まれている複写制御情報については更新されない。
【００５８】
また、複写時において、複写制御情報を更新して出力画像に付加されるＱＲコードの位置は、実施例１と同様に、出力画像に対して、原稿読み取り時に検出されるＱＲコードと同じ四隅の位置に付加され、図６の場合では、Ａ４原稿（０６０１）には、左上にＱＲコード（０６０２）が付加されているため、Ａ３サイズの出力用紙（０６０４）に対しても、その左上にＱＲコード（０６０６）が付加される。
【００５９】
この時、出力画像に付加されるＱＲコード（０６０６）は、出力画像左側の白紙部分に付加され、また、出力画像の原稿画像部分で、原稿画像に付加されていたＱＲコードは画像として複写されている（０６０５）。このため、Ａ３サイズの出力用紙を、その中心（０６０８）で半分に切断した場合、複写制御情報が更新されないＱＲコードが付加されている原稿の複写を作成することが可能となってしまう。
【００６０】
このため、実施例１と同様に、出力画像の白紙部分に付加されたＱＲコード（０６０６）と同じＱＲコードを、出力画像中の原稿画像が配置された部分も付加する（０６０７）。これにより、複写された出力用紙を、その中心（０６０８）で半分に切断した場合であっても、複写制御情報が更新されたＱＲコードが付加されていない原稿の複写が作成されることを防止する。
【００６１】
次に、原稿サイズと出力用紙サイズが異なる場合の、実施例２における複写動作の制御について、図７を用いて詳細に説明する。図７は、本実施例において、ＭＦＰ１００１が実行する複写動作の制御の流れを示すフローチャートである。この制御では、図５で示したフローチャートに対して、ステップＳ０５０４の処理が削除されたものとなっている。ここでは、第２の実施例から変更になる部分についてのみ説明する。
【００６２】
ステップＳ０７０１〜Ｓ０７０３までの処理では、実施例１で記載の通り、原稿の読み取りからＱＲコードの検出と、複写制御情報とＱＲコード検出位置情報の格納までが行われる。
【００６３】
次に、実施例２では実施例１と異なり、制御部０１０１は、読み取り部０１０２から読み取った原稿画像を、そのままメモリ０１０７に格納する（Ｓ０７０４）。
【００６４】
その後の、ステップＳ０７０５〜Ｓ０７１０までの処理についても、実施例１で記載の通りであり、出力画像内の原稿画像が配置された部分にＱＲコードが合成された画像を作成し、出力用紙への印刷を行う。
【００６５】
以上が、ＭＦＰ１００１における、原稿サイズと出力用紙サイズが異なる場合の、複写動作で行う制御の説明である。この制御により、複写された出力用紙の原稿画像部分に対しても、常に複写制御情報が更新されたＱＲコードが付加されるようになり、ＱＲコードが付加されていない原稿の複写が作成されることを防止することが可能となる。
【符号の説明】
【００６６】
０１０１  制御部
１００１  ＭＦＰ
【図１】
2012244206.tif 000003
【図２】
2012244206.tif 000004
【図３】
2012244206.tif 000005
【図４】
2012244206.tif 000006
【図５】
2012244206.tif 000007
【図６】
2012244206.tif 000008
【図７】
2012244206.tif 000009